(57)【要約】【課題】  一枚の紙シート材を折り曲げて、糊やテープや把持具等の付属物品を用いることなく固定できる紙製容器を提供する。【解決手段】  紙シート材の第１側壁部の外側に設けられた折返し部と、この折返し部の外側に設けられた折込み片とを有し、前記折返し部は、前記第１側壁部の外側に折り曲げられ、前記一対の折曲げ部を外側から押さえつけ、前記折込み片は、前記折返し部の先端の山折り部で内側に折り曲げられ、前記第１側壁部と前記一対の折曲げ部との間に挿入されることにより前記折曲げ部を固定する。【選択図】        図３
0003116878.tif 000002
【実用新案登録請求の範囲】
【請求項１】
１枚の紙製のシート材を折り曲げて構成される紙製容器であって、平行四辺形状の底壁部と、その底壁部の一方の相対向する二辺から起立する一対の第１側壁部と、前記底壁部の他方の相対向する二辺から起立する一対の第２側壁部と、隣り合う前記第１側壁部と第２側壁部間に設けられ、前記底面部の隅角部から先端まで直線状に伸びた折れ線によって左右対称に構成される折曲げ部と、前記第１側壁部の外側に設けられた折返し部と、この折返し部の外側に設けられた折込み片とを有し、
前記折返し部は、前記第１側壁部の外側に折り曲げられ、前記一対の折曲げ部を外側から押さえつけ、
前記折込み片は、前記折返し部の先端の山折り部で内側に折り曲げられ、前記第１側壁部と前記一対の折曲げ部との間に挿入されることにより前記折曲げ部を固定する構造であることを特徴とする容器。
【請求項２】
前記折込み片の形状は長方形状であることを特徴とする請求項１記載の紙製容器。
【請求項３】
前記折込み片の形状は台形状であることを特徴とする請求項１記載の紙製容器。
【請求項４】
前記折込み片の形状は三角形状であることを特徴とする請求項１記載の紙製容器。
【請求項５】
前記折込み片の形状は楕円形状であることを特徴とする請求項１記載の紙製容器。
【考案の詳細な説明】
【技術分野】
【０００１】
本考案は、一枚の紙の折り曲げのみによって組み立てられる紙製容器において、糊やテープや把持具等の付属物品を用いることなく、折曲げ部を固定できる紙製容器に関する。
【背景技術】
【０００２】
紙製容器の第１の従来例を図５から図７までの図面を用いて説明する。図５は容器に組み立てる前のシート材の形状を示す図である。図６はシート材を組み立てる途中の図を示す図である。図７は組み立てが完了した容器の例を示す図である。これらの図に示すように、シート材を底壁部２を底にして、谷折り部３で一対の側壁部４を起立させ、谷折り部５で一対の側壁部６を起立させ、各一対の折曲げ部１０を谷折り部９で折り曲げ二つ折りにした後、各一対の折曲げ部１０を第１側壁部４の外側から中央部の方向に押さえつけることにより容器を組み立てる。ただし、これだけでは第１側壁部４に押さえつけた折曲げ部１０が外側に広がって容器の形が崩れてしまうため、図７に示すように、第１側壁部４の外側で重なった折曲げ部１０の先端部分をシールやテープで貼りつけて折曲げ部１０を固定している。
【０００３】
図８は、第２の従来例を説明する図面である（特許文献１）。図８においては、折曲げ部１０の端部に孔をあけ、この孔に把持具１５を止めることによって折曲げ部１０を固定している。
【０００４】
図９は、第３の従来例を説明する図面である（特許文献２）。図９において、長方形状の底壁部の周囲に設けた一対の側壁部３２に折返し部３５を設け、その折返し部の先端に長方形状の折込み片３７を形成し、その折返し部３５を側壁部の外側に折り曲げることにより、谷折り部を介して側壁部の中央部に折り曲げて形成した折込み片３７を側壁部３３と折曲げ部３５の間に折り込むように挿入することにより折曲げ部３４を固定する。
【特許文献１】特開２００４−０５１１５５号公報
【特許文献２】特開平１０−２７３１３１号公報
【考案の開示】
【考案が解決しようとする課題】
【０００５】
図７に示すような折曲げ部１０をテープやシールで貼り付ける構造では、貼る位置にバラツキが生じるのでテープやシールを同じ位置に統一して貼ることが難しく、また作成が面倒で経費がかさむという欠点があった。また図８に示すような把持具を用いて折曲げ部１０を固定する構造では、紙シート以外に付属物品が必要になってやはり経費がかさみ、また付属物品の一部が誤って容器内に落ちたりした場合にはこの物品が容器内の食品に混じり誤飲事故等を起こす危険があった。また図９の従来例ではテープ貼り等の加工や付属物品は不要になるが、折返し部３５と折込み片３７との係合が弱く、折曲げ部３４を固定させる力が弱く容器が崩れ易いという欠点があった。
【課題を解決するための手段】
【０００６】
本考案は、第１側壁部の外側に設けられた折返し部と、この折返し部の外側に設けられた折込み片とを有し、前記折返し部は、前記第１側壁部の外側に折り曲げられ、前記一対の折曲げ部を外側から押さえつけ、前記折込み片は、前記折返し部の先端の山折り部で内側に折り曲げられ、前記第１側壁部と前記一対の折曲げ部との間に挿入されることにより前記折曲げ部を固定する構造であることを特徴とする。
【考案の効果】
【０００７】
以上記載したように、本考案の紙製容器によれば、台形状の折返し部の先端に、横辺がはみ出した例えば長方形状の折込み片を設け、折返し部を第１側壁部の上に折り曲げた折曲げ部の外側から重ねた後に、折込み片と折返し部との境界線を軸にして折込み片を内側に折り込んで折曲げ部と側壁部の間に挿入させることにより折曲げ部を固定するようにしたので、折込み片が折曲げ部の内側に挿入され易く、かつ折込み片は折返し部の幅よりも広いので、挿入した折込み片は折曲げ部で押さえられる。したがって、折込み片は折曲げ部からはずれ難く、簡単な構造ながら容器は崩れにくく、かつ付属物品や糊付け加工が不要で安価な容器を製作できる。
【考案を実施するための最良の形態】
【０００８】
図１は本考案の紙製容器を組み立てるための紙製のシート材１の形状を示す図である。この一枚のシート材１から容器を作成する。図５に示した従来例と同じ部分には同じ符号を付与し、詳細な説明は省略した。このシート材１は、四辺形状の中央部の底壁部２と、その底壁部２の周囲に設けられた第１側壁部４および第２側壁部６と、その第１側壁部４の外側に設けられた折り返し用の折返し部２２と、その折返し部２の外側に設けられた折込み片２４により構成される。図１では折り返し用の部材を第１側壁部４の外側に設けた例を示しているが、第２側壁部６の外側に設けてもよい。図１において、シート内で折り曲げられる部分を点線と二点鎖線で示した。点線は山折り部、二点鎖線は谷折り部を示す。
【０００９】
２はシートの中央部にある正方形や長方形等の平行四辺形状の底壁部であり、シートを容器に組み立てた場合の底にあたる部分である。３、５はそれぞれ対向する一対の谷折り部であり、この部分を介して外側の側壁部を起立させる。４は谷折り部３を介して起立する第１側壁部、６は谷折り部５を介して起立する第２側壁部であり、これらは容器に組み立てた場合の容器の側壁を形成する。７は一対の第１側壁部４の両側の山折り部、８は一対の第２側壁部６の両側の谷折り部、１０は第１側壁部４の山折り部７と第２側壁部６の谷折り部８とをつなぐ折曲げ部である。この折曲げ部１０は、その中間が谷折り部９で二つに折り曲げられ、第１側壁部４に沿って外側へ折り曲げられる。
【００１０】
つまり、シート材１の中央部分は、ほゞ中央に配置された底壁部２の周囲に、この底壁部２と各側壁部４、６とを区画する４本の谷折り部３、５が形成されると共に、その一方の谷折り部５の延長上に第１側壁部４の両側の山折り部７が、他方の谷折り部３の延長上に第２側壁部６の両側の谷折り部８が夫々形成される。折曲げ部１０は第１側壁部４と第２側壁部６を起立させた後に、その中央部を谷折り部９で折り曲げた後に山折り部７に沿って第１側壁部４に押し付けられる部分である。
【００１１】
２２は一対の、例えば、第１側壁部４の外側に設けられる台形状の折返し部である。この折返し部２２は、山折り部１１で外側に折り曲げられる。２４は折返し部２２の台形短辺の先端に設けられる折込み片、２３は折込み片２４が外側に折り曲げられる山折り部である。図１に示すように、折込み片２４は折返し部２２の台形短辺の先端より横にはみ出すように形成される。この理由は後述する。また折込み片２４の形状は長方形状や台形状が望ましいが、それには限られず、後述のように種々の形状を採用することができる。
【００１２】
図２は図１に示した一枚のシート材１を組み立てて紙製容器１００を作成する場合の組み立て途中の状態を示す図である。図２において、底壁部２を底にして一対の第１側壁部４を谷折り部３を介して起立させ、また第１側壁部４と対向する一対の第２側壁部６を谷折り部５を介して起立させてほゞ直方形状の容器の外枠を形成し、そこに谷折り部９で二つ折れにされた一対の折曲げ部１０を谷折り部８で折り曲げて第１側壁部４に押さえつけることにより容器の基本形状を形成する。ただし、これだけでは折曲げ部１０が外側に広がって容器の形が崩れてしまうため、それを防止するために一対の折返し部２２をそれぞれ山折り部１１を介して外側に折り曲げて各一対の折曲げ部１０の外側から押さえつける。このようにして一対の折曲げ部１０を折返し部２２によって押さえつければ、容器折返し部の形が崩れるのを防ぐことができる。
【００１３】
しかし、上記のステップでは、折返し部２２が固定されておらず、このままでは折曲げ部１０を固定することができないので、さらに折込み片２４を山折り部２３に沿って内側に折り曲げて一対の折曲げ部１０と第１側壁部４との間に挿入させれば、一対の折曲げ部１０は折返し部２２によって押さえつけられて固定され、また折込み片２４は一対の折曲げ部１０によって押さえつけられるので容器１００の形が固定し、組み立てが完了する。
【００１４】
図３は、容器１００の組み立てが完了した状態を示す図である。なお、この図は簡単のために一方の第１側壁部４の側だけを示しているが、他方の第１側壁部４の側も同一の形になる。つまり、この容器１００は、底壁部２を底にして起立した相対向する一対の第１側壁部４と第２側壁部６とで容器の側壁を形成し、第１側壁部４の両側にある一対の折曲げ部１０を谷折り部９で二つ折りにした後、その折曲げ部１０を谷折り部８で曲げて、第１側壁部４に押し付けるように折り曲げ、次に、折返し部２２を山折り部１１に沿って折り曲げて折曲げ部１０を押さえつけ、折込み片２４を山折り部２３で折曲げ部１０と第１側壁部４との間に挿入するように折り曲げることにより、折込み片２４が折曲げ部１０によって上から押さえつけられるので、折込み片２４が抜けることがないので、折曲げ部１０がしっかりと固定され、容器として完成する。
【００１５】
また、折込み片２４は折返し部２２の台形短辺の先端より横にはみ出した構造であり、折込み片２４が左右の折曲げ部１０と十分な面積をもって重なるため、使用中に容器の形が変形しても、折込み片２４は折曲げ部１０によって確実に押さえつけられ外れにくいので、使用中の変形に対しても安定な容器を実現できる。なお、上記の例では、折返し部２２が第１側壁部４の外側に押さえつけられる例を示したが、第２側壁部６の側に押さえつける構造としてもよいことはもちろんである。この場合は第１側壁部４の外側ではなく第２側壁部６の外側に折返し部２２と折込み片２４が形成されるシート材１を用いればよい。
【００１６】
折込み片２４の形状として長方形の場合を示したが、これには限定されず、図４（ａ）や同図４（ｂ）に示したような三角形状や楕円形状でもあってもよいし、それ以外にも種々の形状を用いることができる。ただし、いずれの場合でも、折返し部２２と第１側壁部４の間に挿入された折込み片２４を外れにくくするために、折込み片２４は折返し部２２の台形短辺の先端より横にはみ出した部分を持っている構造とする。
【図面の簡単な説明】
【００１７】
【図１】本考案の対象である紙製容器のシート材の展開図である。
【図２】本考案の紙製容器のシート材を組み立て途中の容器の形状である。
【図３】本考案の紙製容器の組み立て後の容器の形状である。
【図４】本考案の紙製容器における折込み片の形状である。
【図５】従来の容器のシート材の展開図である。
【図６】従来の容器のシート材を組み立て途中の容器の形状である。
【図７】従来の容器の第１の組み立て例である。
【図８】従来の容器の第２の組み立て例である。
【図９】従来の容器の第３の組み立て例である。
【符号の説明】
【００１８】
１  シート材
２  底壁部
３  谷折り部
４  第１側壁部
５  谷折り部
６  第２側壁部
７  山折り部
８  山折り部
９  谷折り部
１０  折曲げ部
１１  山折り部
２２  折返し部
２３  山折り部
２４  折込み片
１００  容器
【図１】
0003116878.tif 000003
【図２】
0003116878.tif 000004
【図３】
0003116878.tif 000005
【図４】
0003116878.tif 000006
【図５】
0003116878.tif 000007
【図６】
0003116878.tif 000008
【図７】
0003116878.tif 000009
【図８】
0003116878.tif 000010
【図９】
0003116878.tif 000011